(57)【特許請求の範囲】
【請求項１】
音声発生装置を内装する案内機構部が組み込まれている案内用手すりにおいて、案内機構部が開口部を有し、この開口部が、表面に点字が形成された蓋体で覆われていることを特徴とする案内用手すり。
【請求項２】
蓋体が音声発生装置のスイッチを備えていることを特徴とする、請求項１記載の案内用手すり。
【請求項３】
案内機構部が案内用手すり本体と同一形状の筺体で形成されていることを特徴とする、請求項２記載の案内用手すり。
【請求項４】
案内機構部が音反射板を介して音が通過するための通孔部を有していることを特徴とする、請求項２記載の案内用手すり。
【請求項５】
案内機構部がその両端においてジョイント部材を介して組み込まれていてしかも着脱可能であることを特徴とする、請求項２記載の案内用手すり。
【請求項６】
案内機構部がその両端において案内用手すりを内挿する状態で組み込まれていることを特徴とする、請求項２記載の案内用手すり。
【請求項７】
案内機構部がその両端において案内用手すりを内挿する状態で組み込まれており、案内機構部の筺体の両端下部が切り欠かれて切り欠き部となっており、該切り欠き部に受け片が当接固定されていることを特徴とする、請求項２記載の案内用手すり。
【請求項８】
蓋体がステンレスフォロー板またはセラミックで形成されていることを特徴とする、請求項２記載の案内用手すり。
【請求項９】
音声発生装置を内装し、表面には点字とスイッチを備えた蓋体で覆われている開口部を有する案内機構部が着脱可能に取り付けられた案内用手すりであって、音声発生装置が、スイッチと電源部と音声発生回路部と音声増幅回路部とスピーカとで構成され、蓋体に備えられたスイッチ、且つ筺体に備えられたセンサーにより、音声発生装置が作動するものであることを特徴とする案内用手すり。
【請求項１０】
音声発生装置が音量調整つまみを備えていることを特徴とする請求項９記載の案内用手すり。
【発明の詳細な説明】
【０００１】
【発明の属する技術分野】
本発明は、視覚等の障害を持つ人々のために公共施設等に設置される誘導用の案内用手すりに関し、詳しくはトイレ等の案内又は誘導のために音声を発する装置を備えた案内用手すりに関する。
【０００２】
【従来の技術】
従来から、公共用施設においては、建物の屋内、又は屋外に、老齢者、身障者、視覚障害者等に対して案内又は誘導のための案内用手すりが設置されている。このような人達のうち、特に視覚等障害者は、手洗い（トイレ等）の位置が分かり難いために、それらの特定位置を知らせるための種々な工夫が講じられている。
例えば、案内用手すりの要所に点字を施して、その内容を読み取ることによりその位置を確認する手段がある。
或いは壁等に設置された音声発生装置（スピーカー等）をそれと電通された案内用手すりに備わったスイッチを押すことで、起動させ音声を流し位置確認を行う等の手段である。
【０００３】
【発明が解決しようとする課題】
ところが、このような従来手段のうち、前者の点字を用いる方法においては、点字が充分に学習した者にしか認知できないという問題がある。
その他、点字そのものが触覚のみで感知する手段であり、例えば指先に怪我や障害を有している人々のように、その時々の状況によっては全く用をなさないという問題点もあった。
【０００４】
また、後者の音声発生装置を使用する方法においては、その装置を設置するため、離れた位置の壁等にスペースを確保するための穴を開けたりしなければならない等、取り付け施工が面倒である。
また、音声発生装置が手すりとは離れているために、必要以上の過大な音量が必要となり、当人以外の人にも聞こえて他人迷惑になることがあった。
特に美術館、図書館等の公共施設では音量は必要最小限でよい。
【０００５】
本発明は以上のような技術的背景をもとになされたものである。
すなわち、本発明は、点字機能と音声発声機能を同時に併せ持ち、しかも少ない音量で音声案内可能で使用する側にも設置する側にも便利で効果的な案内用手すりを提供することを目的とする。
【０００６】
【問題を解決するための手段】
上記目的を達成するために、本発明者は鋭意研究した結果、人が手すりに接触する位置の範囲にある状態では耳部が手すりに接近するために、比較的小さい音量で効率良く聴覚に訴えることができることを見出し、この知見により本発明を完成させたものである。
【０００７】
即ち、本発明は、（１）、音声発生装置を内装する案内機構部が組み込まれている案内用手すりにおいて、案内機構部が開口部を有し、この開口部が、表面に点字が形成された蓋体で覆われている案内用手すりに存する。
【０００８】
そして、（２）、蓋体が音声発生装置のスイッチを備えている上記（１）記載の案内用手すりに存する。
【０００９】
そしてまた、（３）、案内機構部が案内用手すり本体と同一形状の筺体で形成されている上記（２）記載の案内用手すりに存する。
【００１０】
そしてまた、（４）、案内機構部が音反射板を介して音が通過するための通孔部を有している上記（２）記載の案内用手すり存する。
【００１１】
そしてまた、（５）、案内機構部がその両端においてジョイント部材を介して組み込まれていてしかも着脱可能である上記（２）記載の案内用手すりに存する。
【００１２】
そしてまた、（６）、案内機構部がその両端において案内用手すりを内挿する状態で組み込まれている上記（２）記載の案内用手すりに存する。
【００１３】
そしてまた、（７）、案内機構部がその両端において案内用手すりを内挿する状態で組み込まれており、案内機構部の筺体の両端下部が切り欠かれて切り欠き部となっており、該切り欠き部に受け片が当接固定されている上記（２）記載の案内用手すりに存する。
【００１４】
そしてまた、（８）、蓋体がステンレスフォロー板またはセラミックで形成されている上記（２）記載の案内用手すりに存する。
【００１５】
そしてまた、（９）、音声発生装置を内装し、表面には点字とスイッチを備えた蓋体で覆われている開口部を有する案内機構部が着脱可能に取り付けられた案内用手すりであって、音声発生装置が、スイッチと電源部と音声発生回路部と音声増幅回路部とスピーカとで構成され、蓋体に備えられたスイッチ、且つ筺体に備えられたセンサーにより、音声発生装置が作動するものである案内用手すりに存する。
【００１６】
そしてまた、（１０）、音声発生装置が音量調整つまみを備えている上記（９）記載の案内用手すりに存する。
【００１８】
ここで、本発明は、その目的に沿ったものであれば、１から１０の中から選ばれた２つ以上の構成も採用可能である。
【００１９】
本発明においては、人が接近した状態で十分聞こえる音量を発するだけで、過大な音量を必要とせず効果的な案内又は誘導が可能となる。
【００２０】
【発明の実施の形態】
以下、本発明の実施の形態を図面に基づき詳細に説明する。
本発明は、手すりに接触することで、手すりに対して耳の位置が一定の距離まで必ず接近することを利用したものであり、その近づいた距離で聴覚により聞き取れるだけの音量を発すればよいという利点がある。
本発明においては、そのため手すりに音声発生装置を内装する案内機構部が組み込まれているものである。
【００２１】
具体的には、図１に示すように、案内用手すり１本体の一部を取り去り、その箇所に音声発生装置３を内装した案内機構部２が接続されている。
案内機構部２は、その筐体２１が案内用手すり本体１１と同一形状に形成されており、例えば図のように案内用手すり本体１１が円筒状である場合には、案内機構部２の筐体２１を同一形状の円筒状とすることが好ましい。
このことにより、案内機構部２が案内用手すり本体としての働きを違和感なく発揮することができる。
また取り付け施工の簡便性や案内機構部２を取り付けた際の外観的な見栄え、並びに案内用手すり１としての使用の際の衝撃などの支障も排除できる。
【００２２】
案内機構部２の取り付けに関しては、その施工を容易にするために、好ましい手段として概ね２つの取り付け手段がある。
その一つは、図２に示すようにジョイント部材４を使用する方法である。
つまり、案内機構部２（具体的には筐体２１）を案内用手すり本体１１の除去部分に当てがい、両端の継ぎ目部分を２個のジョイント部材４に内挿した状態で結合する。
ここでジョイント部材４はネジ止めされることが好ましい。
また、ジョイント部材４と案内機構部２の筐体２１及び案内手すり本体１１とを相互に螺合状態で取り付けることも可能である。
【００２３】
もう一方の手段は、案内機構部２をジョイント部材として利用するもので、図３に示すように、案内機構部２（具体的には筐体２１）の両端の接続部に案内用手すり本体１１の接続部を挿入し、案内用手すり本体１１に案内機構部２を取り付けるものである。
ここで案内機構部２は、案内用手すり本体１１とネジ止めされることが好ましい。
また、案内機構部２と案内手すり本体１１とは相互に螺合状態で取り付けることも可能である。
この手段においては、ジョイント部材４を必要としない。
【００２４】
また、図示しないが、案内機構部２の両端の接続部にそれぞれ案内用手すり本体１１の接続部を外挿することで、案内用手すり本体１１に案内機構部２を取り付けることも可能である。
いずれの場合も、図示しないが、案内機構部２と案内用手すり本体１１との各接続部以外の外径を同一にすると継なぎ部に段差が生じなく使い易い。
【００２５】
更にもう一つの手段を図４及び図５に示す。
図４は案内機構部２に案内用手すり本体を挿入結合した状態の断面図であり、図５は、切り欠き部Ｓと受け片２１ｂとの関係を示す図である。
案内機構部２をジョイント部材として利用することは図３に示す例と同じであるが、ここでは案内機構部２の筐体２１の両端下部が切り欠かれて切り欠き部Ｓを形成している。
そして切り欠き部Ｓには、受け片２１ｂが当接固定されている。
案内手すり本体１１（一点鎖線で示す）は、筐体２１と受け片２１ｂとで把持され雄ネジ５と雌ネジ６とで締め付けられて強固に取り付けられる。
【００２６】
ところで、以上述べた図２、図３及び図４の案内機構部２には、その内部に音声発生装置３が内装されている。  音声発生装置３は、スイッチ３１と電源部３４と音声発生回路部３５と音声増幅回路部３６とスピーカ３７とを備えており、案内機構部２の筐体２１、並びに蓋体２２に装着される。
【００２７】
本発明の音声発生装置３を起動する電源としては、蓄電池、交流電源、太陽電池等の種々のものが使用可能であるが、図２、図３、及び図４の例では、蓄電池（乾電池）の場合を示した。
案内機構部２の筐体２１には開口部２１ａが設けられ、開口部２１ａを覆う蓋体２２を開く、又は取り外すことにより電池や部品等の装着、取り替えが可能となっている（図６参照）。
【００２８】
開口部２１ａを覆う蓋体２２には、点字２３が形成され、視力障害者が、その案内機構部２に接触することで容易に点字が読めてコミュニケーションが図れるようになっている。
【００２９】
また蓋体２２を交換するだけで点字内容の容易な変更が可能である。
蓋体２２の素材としてはセラミックスやステンレスフォロー板が使用され、点字の摩耗やまた屋外では風雨等による損傷を防止できる。
なお、このようなステンレスフォロー板に点字を形成する方法は、釉薬をステンレス板にスクリーン印刷することで容易に可能であり、この点の技術に関しては、既に本発明者は出願済である。
【００３０】
蓋体２２には音声発生装置３をｏｎーｏｆｆするためのスイッチ３１や音量調整つまみ３９が備えられる。
スイッチ３１の形態としては、プッシュタイプやタッチタイプのスイッチが設けられる。
もっとも、これと併せて光電式、赤外線式、或いは超音波式の感知型のスイッチが併用可能である。
また、選択的に、案内機構部２の筐体２１に上記スイッチ３１の他に、磁気センサー等の、利用者が携帯する電波発信装置や携帯電話等に反応するタイプのセンサー３２（図１）を付与することも可能である。
【００３１】
スイッチ３１による音声発生装置３の起動について、図７に示すブロック図に従って説明すると、まず、スイッチ３１、或いはセンサー３２により電源がＯＮされ、音声発生装置３全体に通電される。
電源部３４において電池を使用する場合には、昇圧電源回路３４ａにより電圧が昇圧される。
交流電源を使用する場合はアダプター３４ｂを介して通電される。
【００３２】
音声発生回路部３５において、音声発生回路部３５内のＲＯＭ等のメモリーにインプットされた音声データが、電気信号となって音声増幅回路部３６により増幅され、スピーカ３７から音声となって発せられる。
案内機構部２のスピーカ３７の前方には音反射板３８が傾斜した状態で配置されているために、音は音反射板から反射され、例えばスリット状の通孔部２４を通して効率良く外部に発せられる。
また音声発生回路部３５では音声の内容や繰り返し回数が自由に設定できる他、必要最低限の音量に調節できる。
【００３３】
更には発光ダイオード等の光源３３（図１参照）を設けて夜間時や弱視者に対して視覚的にスイッチ３１の存在を喚起する手段を設けることも可能である。
以上のように本発明の案内用手すり１は、利用者に対して幾重もの利便性を提供している。
【００３４】
【実施例１】
以下、実施例１について図８に示す手順図に従い、説明する。
本実施例においては、円筒状の案内用手すり１とし、案内機構部２との接合にはジョイント部材４を使用する。
まず、案内用手すり１を例えば２２５ｍｍ程度カットする（図８Ａ）。
カット端の両端からジョイント部材４としての例えばジョイントリング４ａをはめ込む（図８Ｂ）。
その後、カット箇所に案内機構部２をはめ込み（図８Ｃ）、ジョイントリング４ａを、案内用手すり１のカット端と案内機構部２の端の両方を担持する位置まで戻してネジ止めする（図８Ｄ）。
【００３５】
【実施例２】
以下、実施例２について図９に示す手順図に従い、説明する。
本実施例においては、円筒状の案内用手すり１とし、ジョイント部４は使用せず、案内機構部２の両端の接続部に案内用手すり本体１１の接続部（カット端）を挿入するものである。
まず、案内用手すり１を例えば１８５ｍｍ程度カットする（図９Ａ，図９Ｂ）。
案内用手すり本体１１の一方のカット端を下方に下げて案内機構部２を案内用手すり１の他方のカット端に外挿する（図９Ｃ）。
その後、下げた案内用手すり本体１１のカット端を元の位置に戻し、案内機構部２に挿入してネジ止めする（図９Ｄ）。
【００３６】
以上、本発明についてその詳細を説明したが、本発明の案内用手すり１は、これらの実施の形態に限定されることなく、その本質から逸脱しない範囲で他の変形、組み合わせが可能であることはいうまでもない。
【００３７】
また、本発明の案内用手すり１は、視覚に障害を持つ人に有効である以外にも、例えば、博物館等における解説装置としても、或いは観光地における案内説明装置としても充分、使用可能である。
また案内用手すりは、多く使用されている断面円形のものについて述べたが、楕円、長円、矩形等の断面形状とすることも当然可能である。
なお、参考までに断面が矩形の手すりを図１０に示す。
また、音声発生装置としては、音を発生する装置であれば図５に示す以外の構成を採用することも当然可能である。
【００３８】
【発明の効果】
本発明の音声発生装置３を有する案内用手すり１において、音声を発する案内機構部２が、案内用手すり本体１１に一体的に組み込まれている場合には、視覚等の障害を有する人が、案内用手すり１により必然的にスイッチ３１箇所に案内されることとなり、確実にトイレ等の存在箇所を知ることができる。
そして、施工者に電気技術等の専門知識を要求せず誰にでも容易に施工できる他、スピーカ３７等の設置個所を必要としない。
また、音量も必要最低限でよく、他人の迷惑とならない。
【００３９】
また、案内機構部２の筐体２１が、案内用手すり本体１１と同一形状に形成されている場合には、案内機構部２を取り付けた際の外観的な違和感や、案内用手すり１としての使用の際の衝撃などの支障を排除できる。
【００４０】
そして、案内機構部２の取り付け手段としてジョイントリング等のジョイント部材４を用いる、或いは、案内機構部２の両端に案内用手すり本体１１を挿入する手段を採用している場合には、脱着可能等、施工が容易となり、施工時間の短縮、コスト低減等の効果が得られる。
【００４１】
そして、プッシュタイプやタッチタイプのスイッチ３１や、光電式、赤外線式、或いは超音波式の各種スイッチ３１の採用、更には磁気センサー等のセンサー３２を設けて、利用者が携帯する電波発信装置や携帯電話等に反応する機能を付与する、或いは発光ダイオード等の光源３３を設けて、夜間時や弱視者に対して視覚的にスイッチ３１の存在を喚起する手段を設ける場合には、利用者に対して幾重もの利便性を提供し、確実で安全な案内ができる。
【００４２】
そして、案内機構部２に開口部２１ａを設け、蓋体２２で覆う場合には、内装した音声発生装置３の電池や部品等の交換が容易となる。
【００４３】
そして、蓋体２２に点字２３を施す場合には、音声による案内の他に触覚による点字読み取りが可能となり、聴覚障害を有する人にも確実な案内ができる他、蓋体２２を交換するだけで点字内容が容易に変更できる。
そして、蓋体２２の素材にセラミック、或いはステンレスホロー板を使用する場合には風雨による損傷が抑えらればかりでなく、使用者に心地良い感触を与えることができる。
【図面の簡単な説明】
【図１】図１は、本案内用手すりの外観図である。
【図２】図２は、案内機構部に案内用手すり本体を挿入結合した状態の断面図である。
【図３】図３は、案内機構部に案内用手すり本体を挿入結合した状態の断面図である。
【図４】図４は案内機構部に案内用手すり本体を挿入結合した状態の断面図であり、
【図５】図５は、切り欠き部と受け片との関係を示す図である。
【図６】図６は、蓋体を取り外した状態を示す。
【図７】図７は、音声発生装置のブロック図である。
【図８】図８は、案内機構部をジョイント部材を用いて結合する手順図である。
【図９】図９は、案内機構部に案内用手すり本体を挿入して結合する手順図である。
【図１０】図１０は、断面が矩形の手すりを示す。
【符号の説明】
１…案内用手すり
１１…案内用手すり本体
２…案内機構部
２１…筐体
２１ａ…開口部
２１ｂ…受け片
２２…蓋体
２３…点字
２４…通孔部
３…音声発生装置
３１…スイッチ
３２…センサー
３３…光源
３４…電源部
３４ａ…昇圧電源回路
３４ｂ…アダプター
３５…音声発生回路部
３６…音声増幅回路部
３７…スピーカ
３８…音反射板
３９…音量調整つまみ
４…ジョイント部材
Ｓ…切り欠き部
【図１】
0003621903.tif 000002
【図２】
0003621903.tif 000003
【図３】
0003621903.tif 000004
【図４】
0003621903.tif 000005
【図５】
0003621903.tif 000006
【図６】
0003621903.tif 000007
【図７】
0003621903.tif 000008
【図８】
0003621903.tif 000009
【図９】
0003621903.tif 000010
【図１０】
0003621903.tif 000011